(57)【要約】      （修正有）【課題】機器筐体の各方向から支持部材を介して伝わる衝撃により悪影響が及ばない回路基板を備えた電子機器を提供する。【解決手段】回路基板２６とＬＣＤ板金２２との間に防振ゴム３０を設ける。この構成によるデジタルカメラ１によれば、カメラボディからインナー部材２１およびＬＣＤ板金２２を介して回路基板２６に加わる衝撃は、回路基板２６とＬＣＤ板金２２との間に設けられた防振ゴム３０によって緩衝される。このため、従来の回路基板のように機器ケースに直接固定されている場合と異なり、衝撃が、カメラボディの各方向からインナー部材２１およびＬＣＤ板金２２を介して回路基板に伝わってきても、防振ゴム３０によって緩衝されて回路基板２６に形成された電子回路に伝わらなくなり、電子回路に悪影響が及ばなくなる。【選択図】図３
2011249380.tif 000002
【特許請求の範囲】
【請求項１】
電子回路が形成された回路基板と、
前記回路基板を機器筐体内に支持する支持部材と、
前記回路基板と前記支持部材との間に設けられ、機器筐体から前記支持部材を介して前記回路基板に加わる衝撃を緩衝する緩衝材と
を備える電子機器。
【請求項２】
請求項１に記載の電子機器において、
衝撃吸収部材を介して前記支持部材に設けられ、柔軟性を有するフレキシブル回路基板によって前記回路基板に電気的に接続される、光学レンズを有する鏡筒ユニットを備えることを特徴とする電子機器。
【請求項３】
請求項１または請求項２に記載の電子機器において、
前記緩衝材は、対向する側面が前記回路基板および前記支持部材に接着されて、前記回路基板と前記支持部材との間に設けられることを特徴とする電子機器。
【請求項４】
請求項１または請求項２に記載の電子機器において、
前記緩衝材は、一端部が前記回路基板、他端部が前記支持部材に嵌合して、前記回路基板と前記支持部材との間に設けられることを特徴とする電子機器。
【請求項５】
請求項１または請求項２に記載の電子機器において、
前記緩衝材は、一端面が前記支持部材に接し、他端面に形成された段部が前記回路基板の端部に係合して、前記回路基板と前記支持部材との間に設けられると共に、一端面が前記回路基板に接し、他端面が機器筐体内面側に接して設けられることを特徴とする電子機器。
【請求項６】
請求項１または請求項２に記載の電子機器において、
前記緩衝材は、側面に形成された窪み部が前記回路基板の端部に嵌合して前記支持部材に係止され、前記回路基板と前記支持部材との間に設けられることを特徴とする電子機器。
【請求項７】
請求項１または請求項２に記載の電子機器において、
前記緩衝材はバネから構成され、
前記バネは、一端部が前記回路基板の端部に装着された装着具に形成された係合部、他端部が前記支持部材に形成された係合部に係合して、前記回路基板と前記支持部材との間に設けられることを特徴とする電子機器。
【請求項８】
請求項１から請求項７のいずれか１項に記載の電子機器において、
衝撃吸収部材を介して前記支持部材に設けられ、柔軟性を有するフレキシブル回路基板によって前記回路基板に電気的に接続される、光学レンズを有する鏡筒ユニットと、
前記光学レンズによって結像される被写体像を撮像する撮像部と
を備えて構成されるカメラ。
【発明の詳細な説明】
【技術分野】
【０００１】
本発明は、電子回路が形成された回路基板を機器筐体内に備えた電子機器およびカメラに関するものである。
【背景技術】
【０００２】
従来、この種の電子機器としては、例えば、特許文献１に開示された電子カメラがある。この電子カメラの機器ケース内部の底部には、回路基板の左辺部のみを位置決めして配置する２つの取付ボスが設けられている。回路基板は、左辺部が取付ボスに固定されて機器ケース内に浮いた状態で取り付けられ、上下面がゲル状の一対の緩衝材によって挟み込まれて、右辺側部分が上下方向に撓み変形可能に機器ケース内に保持されている。機器ケースに加わった衝撃は、一対の緩衝材が圧縮変形および膨張変形することによって抑制されて、回路基板に伝わることが防止され、回路基板の割れや回路基板に搭載した電子部品の破損が防止される。
【先行技術文献】
【特許文献】
【０００３】
【特許文献１】特開２００３−１５２３５６号公報
【発明の概要】
【発明が解決しようとする課題】
【０００４】
しかしながら、上記従来の電子機器は、回路基板の左辺部が固定されているので、右辺側部分は上下方向以外に撓み変形することができない。このため、回路基板が上下方向以外に撓む衝撃が機器ケースに加わると、その衝撃は軽減されず、回路基板に搭載された電子部品などに伝わって悪影響を与えてしまう。
【課題を解決するための手段】
【０００５】
本発明は、このような課題を解決するためになされたもので、
電子回路が形成された回路基板と、
回路基板を機器筐体内に支持する支持部材と、
回路基板と支持部材との間に設けられ、機器筐体から支持部材を介して回路基板に加わる衝撃を緩衝する緩衝材と
を備えて、電子機器を構成した。
【発明の効果】
【０００６】
本発明によれば、衝撃が、機器筐体の各方向から支持部材を介して回路基板に伝わってきても、緩衝材によって緩衝されて回路基板に形成された電子回路に伝わらなくなり、電子回路に悪影響が及ばなくなる。
【図面の簡単な説明】
【０００７】
【図１】本発明の第１の実施形態によるデジタルカメラの外観の概略を示す正面斜視図である。
【図２】図１に示すデジタルカメラの外観の概略を示す背面斜視図である。
【図３】（ａ）は図１に示すデジタルカメラの内部構造の概略を示す平面図、（ｂ）は（ａ）の内部構造を破断した一部側断面図、（ｃ）は（ａ）の変形例の内部構造を破断した一部側断面図である。
【図４】（ａ）は本発明の第２の実施形態によるデジタルカメラの内部構造を破断した一部側断面図、（ｂ）は（ａ）の変形例の内部構造を破断した一部側断面図である。
【図５】（ａ）は本発明の第３の実施形態によるデジタルカメラの内部構造の概略を示す平面図、（ｂ）は（ａ）の内部構造を破断した一部側断面図、（ｃ）は（ａ）の変形例の内部構造を破断した一部側断面図である。
【図６】（ａ）は本発明の第４の実施形態によるデジタルカメラの内部構造の概略を示す平面図、（ｂ）は（ａ）の内部構造を破断した一部側断面図である。
【図７】（ａ）は図６に示すデジタルカメラの内部構造の変形例の概略を示す平面図、（ｂ）は（ａ）の内部構造を破断した一部側断面図である。
【図８】図１に示すデジタルカメラの内部構造の変形例の概略を示す平面図である。
【発明を実施するための形態】
【０００８】
次に、本発明による電子機器をデジタルカメラに適用した場合における、本発明を実施するための形態について説明する。
【０００９】
図１は、本発明の第１の実施形態によるデジタルカメラ１の外観の概略を示す正面斜視図である。
【００１０】
デジタルカメラ１は、デジタルカメラ１の機器筐体を構成するカメラボディ２と、このカメラボディ２の前面に設けられた撮影用のレンズ３とから構成される。同図（ａ）に示すデジタルカメラ１は光学レンズ３が沈胴位置、同図（ｂ）に示すデジタルカメラ１は光学レンズ３が突出位置にある。カメラボディ２の正面から見て左側には、撮影時に撮影者によって握られるグリップ部４が設けられている。このグリップ部４の上面には、撮影用のシャッターボタン５が設けられている。このシャッターボタン５の右方のカメラボディ２の上面には、操作されるとデジタルカメラ１の内部の各回路に動作電源を供給させる電源ボタン６が設けられている。また、カメラボディ２の正面から見て右上側には、被写体が暗い場合に明るさを確保するためのフラッシュ７が備えられている。
【００１１】
図２は、デジタルカメラ１の外観の概略を示す背面斜視図である。なお、同図において図１と同一部分には同一符号を付してその説明は省略する。
【００１２】
カメラボディ２の背面にはモニタ１１が設けられている。モニタ１１は、ＴＦＴ（Thin Film Transistor）液晶などからなり、構図を確認するためのスルー画や、撮影情報などの各種情報を表示すると共に、撮影した画像を再生表示する。タッチパネル１２は、モニタ１１の表示面に配置されて、使用者が触れると所定の機能を実行させる。使用者によるモニタ１１に対するタッチ操作は、タッチパネル１２により検出される。
【００１３】
モニタ１１の右側には、ズームボタン１３および十字ボタン１４が配置されている。ズームボタン１３は、モニタ１１に表示される撮影画像を拡大、縮小表示させる際などに操作される。十字ボタン１４は、上下方向および左右方向といった操作方向を検出する方向キーからなり、デジタルカメラ１の各種設定を行うメニュー画面において、種々の設定項目の中から所望の設定項目を選択する際などに操作される。十字ボタン１４の中央には決定ボタン１５が設けられている。決定ボタン１５は、十字ボタン１４の操作によって選択された所望の設定項目を決定する際などに操作される。また、これらのボタンは、モニタ１１に表示されているメニュー画面などにおいて、モニタ１１のタッチパネル操作で代用することもできる。シャッターボタン５、電源ボタン６、タッチパネル１２、ズームボタン１３、十字ボタン１４、および決定ボタン１５等の操作系は、デジタルカメラ１に設けられた操作部を構成する。
【００１４】
図３（ａ）は、デジタルカメラ１の内部構造の概略を示す平面図、同図（ｂ）は、同図（ａ）の内部構造を破断した一部側断面図である。
【００１５】
デジタルカメラ１は、樹脂などで形成されたインナー部材２１がカメラボディ２内に設けられており、デジタルカメラ１を構成する各種部材はインナー部材２１に取り付けられてカメラボディ２内に内蔵されている。モニタ１１が嵌め込まれる破線で図示したＬＣＤ板金２２は、四隅に落ち込んで設けられた取り付け段部がネジ２３によってインナー部材２１に取り付けられており、鏡筒ユニット２４および回路基板２６を覆っている。鏡筒ユニット２４は光学レンズ３を有し、図示しない衝撃吸収部材を介してインナー部材２１に設けられている。鏡筒ユニット２４の内部には、光学レンズ３によって被写体像が結像される位置に、被写体像を撮像する図示しない撮像部が設けられている。撮像部は、ＣＣＤ（Charge Coupled Device）やＣＭＯＳ（Complementary Metal Oxide Semiconductor）などの撮像素子から構成され、柔軟性を有するＣＣＤ用フレキシブル回路基板２８によって回路基板２６にコネクタ２９を用いて電気的に接続されている。回路基板２６にはＣＣＤ用フレキシブル回路基板２８を経由して撮像素子で撮像される信号が出力され、デジタルカメラ１を統括制御する電子回路が形成された回路基板２６に設けられた図示しないＣＰＵ（Central Processing Unit）により、撮像処理が行われる。鏡筒ユニット２４は、柔軟性を有する鏡筒用フレキシブル回路基板２５により、回路基板２６にコネクタ２７を用いて電気的に接続されている。回路基板２６に設けられたＣＰＵから鏡筒用フレキシブル回路基板２５を経由して鏡筒ユニット２４に出力される制御信号に基づき、デジタルカメラ１に生じる振れを打ち消す方向に光学レンズ３の振れ補正レンズが駆動されて、手振れ補正制御などが行われる。
【００１６】
回路基板２６の四隅には直方体状をした防振ゴム３０が接着されている。防振ゴム３０は、同図（ｂ）に示すように、対向する側面が回路基板２６およびＬＣＤ板金２２に接着されて、回路基板２６とＬＣＤ板金２２との間に設けられている。ＬＣＤ板金２２およびインナー部材２１は、防振ゴム３０で接着された回路基板２６をカメラボディ２内に支持する支持部材を構成している。防振ゴム３０は、緩衝材を構成しており、回路基板２６とＬＣＤ板金２２との間に設けられ、カメラボディ２からＬＣＤ板金２２を介して回路基板２６に加わる衝撃を緩衝する。防振ゴム３０の厚みは、回路基板２６の両面に実装される電子部品の高さに応じて調節される。
【００１７】
このような本実施形態のデジタルカメラ１によれば、カメラボディ２からインナー部材２１およびＬＣＤ板金２２を介して回路基板２６に加わる衝撃は、回路基板２６とＬＣＤ板金２２との間に設けられた防振ゴム３０によって緩衝される。このため、従来の回路基板のように機器ケースに直接固定されている場合と異なり、衝撃が、カメラボディ２の各方向からインナー部材２１およびＬＣＤ板金２２を介して回路基板に伝わってきても、防振ゴム３０によって緩衝されて回路基板２６に形成された電子回路に伝わらなくなり、電子回路に悪影響が及ばなくなる。
【００１８】
また、本実施形態のデジタルカメラ１によれば、鏡筒ユニット２４は、衝撃吸収部材を介してインナー部材２１に設けられ、柔軟性を有する鏡筒用フレキシブル回路基板２５によって回路基板２６に電気的に接続されている。また、撮像部は、柔軟性を有するＣＣＤ用フレキシブル回路基板２８によって回路基板２６に電気的に接続されている。このため、カメラボディ２からインナー部材２１を介して鏡筒ユニット２４に加わる衝撃は、衝撃吸収部材によって吸収され、カメラボディ２からインナー部材２１およびＬＣＤ板金２２と回路基板２６を介して鏡筒ユニット２４に加わる衝撃は、鏡筒用フレキシブル回路基板２５およびＣＣＤ用フレキシブル回路基板２８によって吸収される。従って、カメラボディ２からインナー部材２１に衝撃が加わっても、その衝撃は鏡筒ユニット２４に伝わらず、衝撃に起因して生じる鏡筒の解像度の劣化が防止される。
【００１９】
また、本実施形態のデジタルカメラ１によれば、防振ゴム３０は、対向する側面が回路基板２６およびＬＣＤ板金２２に接着されて、回路基板２６とＬＣＤ板金２２との間に設けられる。このため、ＬＣＤ板金２２の上に防振ゴム３０を乗せて接着し、防振ゴム３０の上に回路基板２６を乗せて接着するだけで、電子機器の回路基板２６部分を組み立てることができる。
【００２０】
また、本実施形態のデジタルカメラ１によれば、カメラボディ２からインナー部材２１およびＬＣＤ板金２２を介してデジタルカメラ１の回路基板２６に加わる衝撃は、上記のように防振ゴム３０によって緩衝される。また、カメラボディ２からインナー部材２１を介してデジタルカメラ１の鏡筒ユニット２４に加わる衝撃、および、カメラボディ２からインナー部材２１およびＬＣＤ板金２２と回路基板２６を介して鏡筒ユニット２４に加わる衝撃も、上記のように吸収される。このため、誤ってデジタルカメラ１を手元から落下させてデジタルカメラ１に衝撃を与えてしまっても、その衝撃は回路基板２６および鏡筒ユニット２４に伝わらず、回路基板２６に形成された電子回路に悪影響が及ばなくなると共に、鏡筒ユニット２４の解像度は劣化しない。
【００２１】
なお、上記の実施形態においては、防振ゴム３０を回路基板２６とＬＣＤ板金２２との間に設けた場合について説明したが、本発明はこれに限られることはない。例えば、同図（ｃ）に示すように、防振ゴム３０を回路基板２６とインナー部材２１との間に設けて構成してもよい。この構成では、支持部材を構成するインナー部材２１は、防振ゴム３０で接着された回路基板２６をカメラボディ２内に直接支持する。このような第１の実施形態の変形例のデジタルカメラ１によっても、第１の実施形態と同様の作用効果を奏する。
【００２２】
次に、本発明による電子機器をデジタルカメラに適用した場合における、本発明の第２の実施形態について説明する。第２の実施形態によるデジタルカメラ１は、外観構成が図１および図２に示され、内部構造が図３（ａ）に示されて第１の実施形態と同一であり、緩衝材だけが第１の実施形態と相違する。
【００２３】
図４（ａ）は第２の実施形態によるデジタルカメラの内部構造を破断した一部側断面図である。なお、同図において、図３と同一部分には同一符号を付してその説明は省略する。
【００２４】
第２の実施形態によるデジタルカメラ１の緩衝材は、上述した防振ゴム３０に代えて、円筒形状をした防振ブッシュゴム４０で構成されている。防振ブッシュゴム４０の一端部は、回路基板２６に設けられた穴、他端部は、ＬＣＤ板金２２に設けられた穴に嵌合して、回路基板２６とＬＣＤ板金２２との間に設けられる。
【００２５】
このような第２の実施形態のデジタルカメラ１によっても、第１の実施形態と同様、カメラボディ２からインナー部材２１およびＬＣＤ板金２２を介して回路基板２６に加わる衝撃は、回路基板２６とＬＣＤ板金２２との間に設けられた防振ブッシュゴム４０によって緩衝される。このため、第１の実施形態と同様の作用効果が得られる。
【００２６】
また、第２の実施形態のデジタルカメラ１によれば、回路基板２６と嵌合した防振ブッシュゴム４０の一端部を回路基板２６から外すことにより、回路基板２６をＬＣＤ板金２２から自在に取り外すことができる。従って、回路基板２６の交換作業や回路基板２６のメンテナンス作業が容易に行える。
【００２７】
なお、上記の第２の実施形態においては、防振ブッシュゴム４０を回路基板２６とＬＣＤ板金２２との間に設けた場合について説明したが、本発明はこれに限られることはない。例えば、上記の第２の実施形態の変形例によるデジタルカメラ１の内部構造を破断した一部側断面図である同図（ｂ）に示すように、防振ブッシュゴム４０の一端部を回路基板２６に設けられた穴、他端部をインナー部材２１に設けられた穴に嵌合させて、防振ブッシュゴム４０を回路基板２６とインナー部材２１との間に設ける構成にしてもよい。このような第２の実施形態の変形例のデジタルカメラ１によっても、第２の実施形態と同様の作用効果を奏する。
【００２８】
次に、本発明による電子機器をデジタルカメラに適用した場合における、本発明の第３の実施形態について説明する。第３の実施形態によるデジタルカメラ１は、外観が図１および図２に示されて第１の実施形態と同一であり、緩衝材だけが第１の実施形態と相違する。
【００２９】
図５（ａ）は第３の実施形態によるデジタルカメラの内部構造の概略を示す平面図、同図（ｂ）は同図（ａ）の内部構造を破断した一部側断面図である。なお、同図において、図３と同一部分には同一符号を付してその説明は省略する。
【００３０】
第３の実施形態によるデジタルカメラ１の緩衝材は、直方体の一つの角部が切り欠かれて段部５０ａが形成された、断面Ｌ字形の防振ゴム５０で構成されている。防振ゴム５０は、インナー部材２１に設けられた係合突起２１ａに係止されながら、一端面がインナー部材２１に接し、他端面に形成された段部５０ａが回路基板２６の端部に係合して、回路基板２６とインナー部材２１との間に設けられる。また、防振ゴム５１も緩衝材を構成しており、防振ゴム５１は、一端面が回路基板２６に接し、他端面がカメラボディ２内面側の、ＬＣＤ板金２２の一部が折り曲げられた脚２２ａに接して設けられる。この防振ゴム５１により、回路基板２６はインナー部材２１側に付勢される。
【００３１】
このような第３の実施形態のデジタルカメラ１によっても、第１の実施形態と同様の作用効果が奏される。また、第３の実施形態のデジタルカメラ１によれば、回路基板２６は、端部が防振ゴム５０の他端面に形成された段部５０ａに係合して、両面が防振ゴム５０，５１を介してカメラボディ２内に支持される。このため、防振ゴム５０は、カメラボディ２から回路基板２６に加わる衝撃を緩衝するだけでなく、他端面に形成された段部５０ａにより、インナー部材２１に取り付けられる回路基板２６の取付位置を決定することができる。従って、インナー部材２１への回路基板２６の取付精度を向上させて、デジタルカメラ１を組み立て易くすることができる。
【００３２】
図５（ｃ）は第３の実施形態の変形例によるデジタルカメラ１の内部構造を破断した一部側断面図である。この変形例によるデジタルカメラ１は、緩衝材の形状と設置箇所が相違する。
【００３３】
緩衝材を構成する防振ゴム６０は、断面がコの字形の直方体状をしている。防振ゴム６０は、側面に形成された窪み部６０ａが回路基板２６の端部に嵌合して、インナー部材２１に設けられた係合突起２１ａに係止され、回路基板２６とインナー部材２１との間に設けられる。
【００３４】
このような第３の実施形態の変形例によるデジタルカメラ１によれば、回路基板２６は、端部が防振ゴム６０の側面に形成された窪み部６０ａに嵌合して、インナー部材２１に設けられた係合突起２１ａに係止され、防振ゴム６０を介してインナー部材２１に支持される。このため、この変形例においても、防振ゴム６０は、カメラボディ２からインナー部材２１を介して回路基板２６に加わる衝撃を緩衝するだけでなく、インナー部材２１に取り付けられる回路基板２６の取付位置を決定することができる。従って、インナー部材２１への回路基板２６の取付精度を向上させて、デジタルカメラ１を組み立て易くすることができる。さらに、窪み部６０ａが回路基板２６の端部に嵌合して防振ゴム６０が回路基板２６を支持するため、インナー部材２１と反対側で回路基板２６を押さえる同図（ｂ）に示す防振ゴム５１のような部材を設けずにすむ。従って、回路基板２６の取り付けに要する部品点数を減らすことができる。
【００３５】
なお、上記の実施形態および変形例では、防振ゴム５０，６０は、回路基板２６の四隅と係合または嵌合するように設けられているが、例えば、回路基板２６の端部全周と係合または嵌合するように設けてもよい。この構成においても、上記の実施形態または変形例と同様の作用効果が奏される。
【００３６】
また、上記各実施形態において、緩衝材として防振ゴムを用いた場合について説明したが、本発明はこれに限られることはない。例えば、ゲルやスポンジなどを用いてもよく、また、弾性を有する部材であればこれらに限定されることはない。
【００３７】
次に、本発明による電子機器をデジタルカメラに適用した場合における、本発明の第４の実施形態について説明する。第４の実施形態によるデジタルカメラ１は、外観が図１および図２に示されて第１の実施形態と同一であり、緩衝材部分の構造だけが第１の実施形態と相違する。
【００３８】
図６（ａ）は第４の実施形態によるデジタルカメラ１の内部構造の概略を示す平面図、同図（ｂ）は同図（ａ）の内部構造を破断した一部側断面図である。なお、同図において、図３と同一部分には同一符号を付してその説明は省略する。
【００３９】
第４の実施形態によるデジタルカメラ１の緩衝材は、圧縮コイルバネ７０から構成されている。圧縮コイルバネ７０は、一端部が突起７１ａ、他端部が位置決め用ボス２１ｂおよび突起２２ａに係合して、回路基板２６とインナー部材２１およびＬＣＤ板金２２との間に設けられる。突起７１ａは、回路基板２６の端部に装着された装着具を構成する鏡筒位置決めピン用板金７１に形成された係合部を構成する。位置決め用ボス２１ｂは、インナー部材２１に形成された係合部、突起２２ａは、ＬＣＤ板金２２に形成された係合部を構成する。
【００４０】
このような第４の実施形態のデジタルカメラ１によっても、第１の実施形態と同様の作用効果が奏される。また、第４の実施形態のデジタルカメラ１によれば、緩衝材が圧縮コイルバネ７０から構成されるため、圧縮コイルバネ７０の線径や巻き径などを選択することによってバネ定数を適宜設定し、緩衝材の弾性を調節することができる。また、緩衝材として、例えば、防振ゴムなどを用いた場合に比べて弾性を大きくできるため、カメラボディ２からインナー部材２１を介して回路基板２６に加わる衝撃を緩衝し易くなる。
【００４１】
また、上記の第４の実施形態においては、回路基板２６の基板面と垂直な方向に伸縮する圧縮コイルバネ７０を設ける場合について説明したが、本発明はこれに限られることはない。例えば、回路基板２６の基板面と水平な方向に伸縮するバネを設ける構成にしてもよい。
【００４２】
図７（ａ）は第４の実施形態のデジタルカメラ１の変形例の内部構造の概略を示す平面図、同図（ｂ）は同図（ａ）の内部構造を破断した一部側断面図である。なお、同図において、図６と同一部分には同一符号を付してその説明は省略する。
【００４３】
第４の実施形態の変形例のデジタルカメラ１では、回路基板２６とインナー部材２１およびＬＣＤ板金２２との間に設けられた、回路基板２６の基板面に垂直な方向に伸縮する圧縮コイルバネ７０に加えて、回路基板２６の基板面に水平な方向に伸縮する圧縮コイルバネ８０が、回路基板２６とインナー部材２１との間に緩衝材として設けられている。圧縮コイルバネバネ８０は、一端部が、鏡筒位置決めピン用板金７１に形成された係合部を構成する突起７１ｂ、他端部が、インナー部材２１に形成された係合部を構成する位置決め用ボス２１ｃからなる係合部に係合して、回路基板２６とインナー部材２１との間に設けられる。
【００４４】
このような第４の実施形態の変形例のデジタルカメラ１によっても第４の実施形態と同様な作用効果が奏される。また、第４の実施形態の変形例のデジタルカメラ１によれば、回路基板２６の基板面に垂直な方向に伸縮する圧縮コイルバネ７０に加えて、回路基板２６の基板面に水平な方向に伸縮する圧縮コイルバネ８０が緩衝材として設けられているため、カメラボディ２からインナー部材２１を介して回路基板２６に加わる衝撃をより効率よく緩衝することができる。
【００４５】
なお、上記の実施形態および変形例において、バネ７０，８０として圧縮コイルバネを用いた場合について説明したが、本発明はこれに限られることはない。例えば、ねじりコイルバネや薄板バネなどを用いて構成してもよい。この構成においても上記の実施形態および変形例と同様の作用効果が奏される。
【００４６】
また、上記各実施形態および各変形例では、鏡筒用フレキシブル回路基板２５およびＣＣＤ用フレキシブル回路基板２８を用いて回路基板２６と鏡筒ユニット２４とを接続した場合について説明したが、本発明はこれに限られることはない。例えば、鏡筒用フレキシブル回路基板２５およびＣＣＤ用フレキシブル回路基板２８を用いずに、回路基板２６と鏡筒ユニット２４とを固定して接続する構成にしてもよい。
【００４７】
また、上記各実施形態および各変形例においては、回路基板２６が１枚で構成された場合について説明したが、本発明はこれに限られることはない。例えば、図８に示すように、回路基板２６が２枚で構成されてもよい。
【００４８】
図８は第１の実施形態の別の変形例によるデジタルカメラ１の内部構造の概略を示す平面図である。なお、同図において、図３と同一部分には同一符号を付してその説明は省略する。
【００４９】
回路基板２６は、防振ゴム３０を介してＬＣＤ板金２２に支持される第１の回路基板２６ａと、ＬＣＤ板金２２に直に固定される第２の回路基板２６ｂとから構成されている。第１の回路基板２６ａと第２の回路基板２６ｂは、コネクタ１０１，１０２を介して柔軟性を有する基板間用フレキシブル回路基板１０３によって電気的に接続されている。
【００５０】
本変形例によれば、カメラボディ２からインナー部材２１とＬＣＤ板金２２を経由し、第２の回路基板２６ｂを介して第１の回路基板２６ａに加わる衝撃は、基板間用フレキシブル回路基板１０３によって吸収される。このため、第１の実施形態の変形例のデジタルカメラ１によれば、第１の回路基板２６ａについて、上記第１の実施形態と同様の作用効果が奏される。また、例えば、メモリーカードやＵＳＢ（Universal Serial Bus）コネクタなどが挿抜されるソケットなどの、動かしたくない部品を第２の回路基板２６ｂに実装し、衝撃を緩衝させる必要がある部品を第１の回路基板２６ａに実装することができる。
【００５１】
なお、上記の変形例の構成は、第１の実施形態に限らず、上述した他の実施形態や各変形例に適用してもよい。
【産業上の利用可能性】
【００５２】
上記の各実施形態および各変形例においては、本発明による電子機器をデジタルカメラに適用した場合について説明したが、例えば、電子回路が形成された回路基板を機器筐体内に備えた他の電子機器に本発明を適用することも可能である。このような電子機器に本発明を適用した場合においても、上記各実施形態および各変形例と同様の作用・効果が奏される。
【符号の説明】
【００５３】
１…デジタルカメラ
２…カメラボディ
３…光学レンズ
２１…インナー部材
２２…ＬＣＤ板金
２４…鏡筒ユニット
２５…鏡筒用フレキシブル回路基板
２６…回路基板
３０，５０，５１，６０…防振ゴム
４０…防振ブッシュゴム
７０，８０…圧縮コイルバネ
７１…鏡筒位置決めピン用板金
２２ａ，７１ａ，７１ｂ…突起
２１ｂ，２１ｃ…位置決め用ボス
【図１】
2011249380.tif 000003
【図２】
2011249380.tif 000004
【図３】
2011249380.tif 000005
【図４】
2011249380.tif 000006
【図５】
2011249380.tif 000007
【図６】
2011249380.tif 000008
【図７】
2011249380.tif 000009
【図８】
2011249380.tif 000010